(57)【要約】【課題】塗装ブツの検出精度に優れると共に塵埃の発生を防止可能な作業用手袋を提供する。【解決手段】作業用手袋１０は、手の甲側全体を覆う生地部材１１と、手の平側全体を覆う生地部材１２とから構成され、各生地部材１１，１２の周縁部は縫糸１３によって縫い込まれている。各生地部材１１，１２の手首に当たる部分は手袋の内側に向けて巻き返され、その巻き返された部分１４は縫糸１５によって縫い込まれて筒状をなし、その筒状の部分１４内には輪状のゴム紐１６が挿通されている。生地部材１１は、糸埃などの塵埃が発生し難く伸縮性および通気性を有する生地によって形成されている。生地部材１２は、糸埃が発生し難く、通気性を有し、生地表面が滑らかで塗装表面に傷を付けず、塗装ブツの検出精度が高い生地によって形成されている。【選択図】  図１
2005009045.tif 000002
【特許請求の範囲】
【請求項１】
手の甲側に当たる部分を覆う第１生地部材と、手の平側に当たる部分を覆う第２生地部材とを備え、第１生地部材および第２生地部材の周縁部が縫い付けられてなる作業用手袋であって、
前記第１生地部材は、塵埃が発生し難く、伸縮性および通気性を有する生地によって形成され、
前記第２生地部材は、通気性を有し、生地表面が滑らかで、塗装ブツの検出精度が高い生地によって形成されていることを特徴とする作業用手袋。
【請求項２】
請求項１に記載の作業用手袋において、
前記第２生地部材には、指の第３関節に当たる部分に切り込みが入れられていることを特徴とする作業用手袋。
【請求項３】
請求項２に記載の作業用手袋において、
前記切り込みの両端部の前記第２生地部材は手袋の内側に向けて巻き返され、その巻き返された部分が縫糸によって縫い込まれていることを特徴とする作業用手袋。
【請求項４】
手の甲側に当たる部分を覆う第１生地部材と、手の平側の指に当たる部分を覆う第２生地部材と、手の平側の指を除く部分を覆う第３生地部材とを備え、第１生地部材と第２生地部材および第３生地部材のそれぞれの周縁部が縫い付けられてなる作業用手袋であって、
前記第１生地部材および前記第３生地部材は、塵埃が発生し難く、伸縮性および通気性を有する生地によって形成され、
前記第２生地部材は、通気性を有し、生地表面が滑らかで、塗装ブツの検出精度が高い生地によって形成されていることを特徴とする作業用手袋。
【請求項５】
請求項４に記載の作業用手袋において、
前記第３生地部材は吸塵性を有することを特徴とする作業用手袋。
【請求項６】
請求項１〜５のいずれか１項に記載の作業用手袋において、前記第２生地部材は、単一繊維の織物による布地によって形成されていることを特徴とする作業用手袋。
【請求項７】
請求項１〜６のいずれか１項に記載の作業用手袋において、前記各生地部材の縫い代は前記縫糸による縫目の奥に隠れて手袋の内側を向くように縫い込まれていることを特徴とする作業用手袋。
【請求項８】
請求項１〜７のいずれか１項に記載の作業用手袋において、前記各生地部材の手首に当たる部分を引き絞るための引き絞り手段を備えたことを特徴とする作業用手袋。
【発明の詳細な説明】
【０００１】
【発明の属する技術分野】
本発明は作業用手袋に係り、詳しくは、塗装表面異物の検出作業に使用するための作業用手袋に関するものである。
【０００２】
【従来の技術】
被塗装物（例えば、車のボディなど）の塗装作業中に、十分に乾いていない塗装表面に何らかの異物が付着し、その異物の上に塗料が塗り重ねられると、塗装表面に微小な盛り上がりが生じる。
一般に、このような塗装表面に付着した異物や、その異物によって生じる塗装表面の微小な盛り上がりは「塗装ブツ」と呼ばれる。
尚、異物としては、空気中を浮遊している浮遊塵、被塗装物の裏や隅のほうに付着していた塵埃が塗料の吹き付けにより吹き飛ばされたもの、作業者の体から落ちた塵埃、溶剤に完全に溶け込んでいない塗料の微粒固形物などがある。
【０００３】
塗装ブツが生じると平滑であるべき塗装表面の美観が損なわれるため、塗装ブツを検出して除去する必要がある。
特に、車のボディは平滑であるため塗装ブツが目立ちやすく、直径０．５ｍｍ程度の微小な塗装ブツでも美観を大きく損ねることになる。
【０００４】
従来より、塗装ブツの検出は作業者の目視によって行っていたが、微小な塗装ブツは光の反射に隠れて視認し辛い。そこで、近年では、作業者が塗装表面を手袋をはめた手の平で撫で、その手袋越しの手の平の触感によって塗装ブツを検出する方法がとられている。
ここで、手袋を着用するのは、手指の皮脂が塗装表面に付着して塗装表面を汚損するのを防止するためである。
【０００５】
このような手の平の触感による塗装ブツの検出に用いるための手袋として、例えば、メリヤス編地によって作られた原手の表面に樹脂皮膜を設けてなる作業用手袋がある（特許文献１参照。）。
【０００６】
【特許文献１】
特開２００３−１３８４１１号公報（第２頁、図５）
【０００７】
【発明が解決しようとする課題】
前記特許文献１の作業用手袋は、原手の表面に樹脂皮膜が設けてあるため、強度および耐久性が高いという利点がある反面、樹脂皮膜によって手の平の触感が阻害されることから、塗装ブツの検出精度が劣るという欠点がある。
【０００８】
そこで、昨今では、ナイロン紡績糸のニット（編み物）による薄手のナイロン布地を縫製した手袋（例えば、シマツ株式会社製の商品番号「＃９０２Ａ」）を用いることにより、塗装ブツの検出精度を高めている。
この手袋は、ナイロン布地に手の平側と手の甲側を展開して裁断し、その裁断した生地を二つ折りにしてから周囲を縫い込むことによって作成される。
【０００９】
尚、ナイロン紡績糸のニットを用いるのは、手袋の布地に伸縮性をもたせることにより、手指を自由に屈伸可能にして作業性を高めるためである。
しかし、この手袋には以下の問題がある。
（１）ナイロン紡績糸を形成するナイロン繊維が細く（例えば、１μｍ）、その細いナイロン繊維に撚りがかけられているため、ナイロン紡績糸の柔軟性は高い。そのナイロン紡績糸の柔軟性の高さと、ニットの伸縮性の高さとが相まって、手の平の触感が阻害されることから、塗装ブツの検出精度が劣る。
（２）塗装ブツの検出作業中にナイロン紡績糸の繊維が切れて微細な糸埃などの塵埃が発生し、その糸埃が塗装ブツになるおそれがある。
【００１０】
本発明は上記問題を解決するためになされたものであって、その目的は、塗装ブツの検出精度に優れると共に塵埃の発生を防止可能な作業用手袋を提供することにある。
【００１１】
【課題を解決するための手段・作用および発明の効果】
（請求項１）
係る目的を達成するためになされた請求項１に記載の発明は、
手の甲側に当たる部分を覆う第１生地部材と、手の平側に当たる部分を覆う第２生地部材とを備え、第１生地部材および第２生地部材の周縁部が縫い付けられてなる作業用手袋であって、
前記第１生地部材は、塵埃が発生し難く、伸縮性および通気性を有する生地によって形成され、
前記第２生地部材は、通気性を有し、生地表面が滑らかで、塗装ブツの検出精度が高い生地によって形成されていることを技術的特徴とする。
【００１２】
請求項１に記載の作業用手袋を使用するとき、作業者は、被塗装物の乾いた塗装表面を作業用手袋をはめた手の平側（第２生地部材側）で撫で、その第２生地部材越しの手の平の触感によって塗装ブツを検出する。そして、作業者は、塗装ブツを検出したら、作業用手袋をはめていない側の手に持った研磨器具で当該塗装ブツを研磨して削ぎ落とす作業と、作業用手袋をはめた手の平で塗装表面を撫でて塗装ブツを検出する作業とを、塗装ブツが完全に除去されて塗装表面が平滑になるまで繰り返し行う。
【００１３】
従って、請求項１に記載の発明によれば、第１生地部材から塵埃が発生して塗装ブツとなるのを防止できる。また、第１生地部材が伸縮性を有するため、手指を自在に屈伸させることが可能になり、作業用手袋をはめた手で物を掴む動作が阻害されないことから、作業性を高めることができる。そして、第１生地部材が通気性を有するため、手の皮膚呼吸が阻害されず汗を発散させることが可能になり、長時間作業しても手の平の触感が良好に保たれることから、塗装ブツの高い検出精度を長時間にわたって維持することができる。
【００１４】
また、請求項１に記載の発明によれば、第２生地部材から塵埃が発生して塗装ブツとなるのを防止できる。また、第２生地部材が通気性を有するため、手の皮膚呼吸が阻害されず、特に手の平にかく汗を発散させることが可能になり、長時間作業しても手の平の触感が良好に保たれることから、塗装ブツの高い検出精度を長時間にわたって維持することができる。そして、第２生地部材の生地表面が滑らかであるため塗装表面との摩擦を軽減することが可能になり、塗装表面に傷を付けないことに加えて、第２生地部材で塗装表面を撫でた際の手の平の触感が鋭敏になることから塗装ブツを確実に検出できる。
【００１５】
（請求項２）
次に、請求項２に記載の発明は、請求項１に記載の作業用手袋において、
前記第２生地部材には、指の第３関節に当たる部分に切り込みが入れられていることを技術的特徴とする。
【００１６】
ところで、第２生地部材に伸縮性がない場合、手指を曲げると、第２生地部材における指の第３関節に当たる部分が弛んで皺が寄ることがある。第２生地部材に皺が寄ると、その皺部分では塗装表面と手の平とが第２生地部材を介して密着せず触感が鈍くなるため、塗装ブツの検出感度が低下してしまう。
そこで、請求項２に記載の発明によれば、第２生地部材における指の第３関節に当たる部分に切れ込みを入れることにより、手指を曲げても第３関節に当たる部分の弛みを当該切れ込みに吸収させて皺が寄らないようにすることで、塗装ブツの検出感度の低下を防止できる。
【００１７】
（請求項３）
次に、請求項３に記載の発明は、請求項２に記載の作業用手袋において、
前記切り込みの両端部の前記第２生地部材は手袋の内側に向けて巻き返され、その巻き返された部分が縫糸によって縫い込まれていることを技術的特徴とする。
【００１８】
従って、請求項３に記載の発明によれば、前記第２生地部材の巻き返された部分の縫い代が縫糸による縫目の奥に隠れて手袋の内側に向く。そのため、作業用手袋の使用中に第２生地部材側で塗装表面を撫でているときに、切り込みの裁断端部が塗装表面に接触して糸切れを起こすことはなく、その糸切れによる糸屑や糸埃の発生を防止できる。
【００１９】
（請求項４）
次に、請求項４に記載の発明は、
手の甲側に当たる部分を覆う第１生地部材と、手の平側の指に当たる部分を覆う第２生地部材と、手の平側の指を除く部分を覆う第３生地部材とを備え、第１生地部材と第２生地部材および第３生地部材のそれぞれの周縁部が縫い付けられてなる作業用手袋であって、
前記第１生地部材および前記第３生地部材は、塵埃が発生し難く、伸縮性および通気性を有する生地によって形成され、
前記第２生地部材は、通気性を有し、生地表面が滑らかで、塗装ブツの検出精度が高い生地によって形成されていることを技術的特徴とする。
【００２０】
請求項４に記載の作業用手袋を使用するとき、作業者は、被塗装物の乾いた塗装表面を作業用手袋をはめた手の指の腹側（第２生地部材側）で撫で、その第２生地部材越しの指の腹の触感によって塗装ブツを検出する。そして、作業者は、塗装ブツを検出したら、作業用手袋をはめていない側の手に持った研磨器具で当該塗装ブツを研磨して削ぎ落とす作業と、作業用手袋をはめた手の指の腹側で塗装表面を撫でて塗装ブツを検出する作業とを、塗装ブツが完全に除去されて塗装表面が平滑になるまで繰り返し行う。
【００２１】
ところで、人間の手の平の触感は、指の腹部分が特に鋭敏であり、手の平側の指を除く部分はさほど鋭敏ではない。そのため、請求項４に記載の発明のように、塗装表面を撫でる作業を指の腹側だけで行い、手の平側の指を除く部分は塗装表面を撫でなくても、塗装ブツの検出精度が低下するおそれはなく、請求項１に記載の作業用手袋と同等の検出精度が得られる。
従って、請求項４に記載の発明によれば、請求項１に記載の発明と同様の作用・効果を得ることができる。
【００２２】
また、請求項４に記載の発明によれば、第３生地部材から塵埃が発生して塗装ブツとなるのを防止できる。そして、第３生地部材が通気性を有するため、手の皮膚呼吸が阻害されず汗を発散させることが可能になり、長時間作業しても手の平の触感が良好に保たれることから、塗装ブツの高い検出精度を長時間にわたって維持することができる。
【００２３】
ところで、第２生地部材に伸縮性がない場合、手指を曲げると、第２生地部材における指の第３関節に当たる部分が弛んで皺が寄ることがある。第２生地部材に皺が寄ると、その皺部分では塗装表面と手の平とが第２生地部材を介して密着せず触感が鈍くなるため、塗装ブツの検出感度が低下してしまう。
そこで、請求項４に記載の発明によれば、第３生地部材に伸縮性をもたせることにより、手指を曲げたときに、第２生地部材における指の第３関節に当たる部分の弛みを第３生地部材の伸縮によって吸収させて皺か寄らないようにすることで、塗装ブツの検出感度の低下を防止できる。また、第３生地部材が伸縮性を有するため、請求項１に記載の作業用手袋よりも更に自在に手指を屈伸させることが可能になり、作業用手袋をはめた手で物を掴む動作が阻害されないことから、作業性を高めることができる。
【００２４】
（請求項５）
次に、請求項５に記載の発明は、請求項４に記載の作業用手袋において、
前記第３生地部材は吸塵性を有することを技術的特徴とする。
【００２５】
従って、請求項５に記載の発明によれば、塗装表面の研磨によって削り取られた塗料粉を第３生地部材で拭い取ることにより、塗装表面を清浄に保つことが可能になる。そして、塗装表面の研磨によって削り取られた塗料粉を拭い取るための清拭用具（ウェスなど）を用意しておかなくてもよいことに加え、その清拭用具を右手または左手で取り上げたり取り置いたりする作業が必要ないため、作業性を高めることができる。
【００２６】
（請求項６）
次に、請求項６に記載の発明は、請求項１〜５のいずれか１項に記載の作業用手袋において、
前記第２生地部材は、単一繊維の織物による布地によって形成されていることを特徴的特徴とする。
【００２７】
従って、請求項６に記載の発明によれば、第２生地部材で塗装表面を撫でた際に、単一繊維の織物の縦横糸の格子部分に塗装ブツが引っかかり、その引っかかりによる抵抗感を手の平の触感によって確実に感じとることが可能であるため、塗装ブツの検出精度を高めることができる。
また、単一繊維は切れ難いことに加え、単一繊維が切れたとしても長いままで糸埃にならないため、塗装ブツの発生を防止できる。
【００２８】
（請求項７）
次に、請求項７に記載の発明は、請求項１〜６のいずれか１項に記載の作業用手袋において、
前記各生地部材の縫い代は前記縫糸による縫目の奥に隠れて手袋の内側を向くように縫い込まれていることを技術的特徴とする。
【００２９】
従って、請求項７に記載の発明によれば、生地部材の裁断部分から糸屑や糸埃などの塵埃が発生したとしても、その糸屑や糸埃は作業用手袋の内側（内部）に止まり、その糸屑や糸埃が作業用手袋の外部へ出ることはないため、その糸屑や糸埃によって塗装ブツが生じるのを防止できる。
【００３０】
（請求項８）
次に、請求項８に記載の発明は、請求項１〜７のいずれか１項に記載の作業用手袋において、
前記各生地部材の手首に当たる部分を引き絞るための引き絞り手段を備えたことを技術的特徴とする。
【００３１】
従って、請求項８に記載の発明によれば、引き絞り手段によって作業用手袋の手首部分を引き絞ることにより、作業用手袋の手首部分と使用者（作業者）の手首とを密着させることが可能になり、作業用手袋の内側（内部）に塵埃が溜まっていたとしても、その塵埃が作業用手袋の外部へ出るのを確実に防止できる。また、引き絞り手段によって作業用手袋の手首部分を引き絞ることにより、使用中に作業用手袋が使用者（作業者）の手から脱落するのを防止可能になり、作業性を高めることができる。
【００３２】
（用語の説明）
尚、上述した［特許請求の範囲］および［課題を解決するための手段・作用および発明の効果］に記載した構成要素と、後述する［発明の実施の形態］に記載した構成部材との対応関係は以下のようになっている。
【００３３】
「第１生地部材」は、生地部材１１，３１，３２に該当する。
「第２生地部材」は、生地部材１２，３３，３４に該当する。
「第３生地部材」は、生地部材３５に該当する。
「引き絞り手段」は、筒状の部分１４、縫糸１５、ゴム紐１６から構成される。
【００３４】
【発明の実施の形態】
以下、本発明を具体化した各実施形態について図面を参照しながら説明する。
尚、各実施形態において、同一構成部材については符号を等しくしてある。また、各実施形態において、第１実施形態と同一内容の箇所については説明を省略してある。
【００３５】
［第１実施形態］
以下、本発明を具体化した第１実施形態の作業用手袋１０について図面を参照しながら説明する。
【００３６】
（第１実施形態の構成）
図１（Ａ）は、第１実施形態における左手用の作業用手袋１０を手の甲側から見た状態を示す正面図である。図１（Ｂ）は、作業用手袋１０を手の平側から見た状態を示す背面図である。
【００３７】
作業用手袋１０は、手の甲側全体を覆う生地部材１１と、手の平側全体を覆う生地部材１２とから構成され、各生地部材１１，１２の周縁部は縫糸１３によって縫い込まれている。
また、各生地部材１１，１２の手首に当たる部分は手袋の内側に向けて巻き返され、その巻き返された部分１４は縫糸１５によって縫い込まれて筒状をなし、その筒状の部分１４内には輪状のゴム紐１６が挿通されている。
【００３８】
（作業用手袋の製造方法）
作業用手袋１０を製造するには、まず、各生地部材１１，１２を裏返しにした状態で合わせ、次に、各生地部材１１，１２の周縁部を縫糸１３によって縫い付け、続いて、各生地部材１１，１２の手首に当たる部分を手袋の内側に向けて巻き返し、次に、その巻き返して筒状になった部分１４内にゴム紐１６を挿通し、続いて、筒状の部分１４の端部を縫糸１５によって縫い付け、最後に、各生地部材１１，１２を裏返す。
その結果、各生地部材１１，１２の縫い代が縫糸１３による縫目の奥に隠れて手袋の内側に向くと共に、筒状の部分１４の縫い代が縫糸１５による縫目の奥に隠れて手袋の内側に向くことになる。
尚、ゴム紐１６を筒状の部分１４に挿通するのは、筒状の部分１４の端部を縫糸１５によって縫い付けた後でもよい。
【００３９】
（作業用手袋の使用方法）
作業者は、右手で研磨器具（例えば、塗装ブツ取り用パッドに研磨紙を貼付したもの等）を持ち、左手に作業用手袋１０をはめる。
そして、作業者は、被塗装物（例えば、車のボディなど）の乾いた塗装表面を左手の平側（作業用手袋１０の生地部材１２側）で撫で、その生地部材１２越しの手の平の触感によって塗装ブツを検出する。
【００４０】
塗装ブツを検出したら、作業者は、右手に持った研磨器具で当該塗装ブツを研磨して削ぎ落とす作業と、作業用手袋１０をはめた左手の平で塗装表面を撫でて塗装ブツを検出する作業とを、塗装ブツが完全に除去されて塗装表面が平滑になるまで繰り返し行う。
【００４１】
（第１実施形態の作用・効果）
第１実施形態の作業用手袋１０によれば、以下の作用・効果を得ることができる。
【００４２】
［１−１］手の甲側全体を覆う生地部材１１は、糸埃（繊維埃、繊維屑）などの塵埃が発生し難く、伸縮性および通気性を有する生地によって形成されている。
そのため、生地部材１１から糸埃が発生して塗装ブツとなるのを防止できる。
また、生地部材１１が伸縮性を有するため、手指を自在に屈伸させることが可能になり、作業用手袋１０をはめた手で物を掴む動作が阻害されないことから、作業性を高めることができる。
そして、生地部材１１が通気性を有するため、手の皮膚呼吸が阻害されず汗を発散させることが可能になり、長時間作業しても手の平の触感が良好に保たれることから、塗装ブツの高い検出精度を長時間にわたって維持することができる。
【００４３】
ちなみに、生地部材１１には、エーテル系ポリウレタンの長繊維紡績糸の平編（メリヤス編）による薄手の布地を用いればよく、例えば、旭化成株式会社製の水着用スパンデックス素材である商品名「ロイカＳＰ」品番「ＡＰ６１４１９」が好適である。
【００４４】
ここで、生地部材１１を形成するポリウレタン長繊維の直径の範囲は約３〜１００μｍが適当であり、望ましくは約４〜７０μｍ、特に望ましくは約５〜２０μｍである。
ポリウレタン長繊維の直径が、この範囲より太くなると生地部材１１の柔軟性が低下して作業性が悪化する傾向があり、この範囲より細くなると生地部材１１の強度が低下して糸埃が発生し易くなる傾向がある。
【００４５】
また、生地部材１１を形成するポリウレタン長繊維紡績糸の直径の範囲は約３０〜１０００μｍが適当であり、望ましくは約４０〜７００μｍ、特に望ましくは約５０〜２００μｍである。
ポリウレタン長繊維紡績糸の直径が、この範囲より太くなると生地部材１１の柔軟性が低下して作業性が悪化する傾向があり、この範囲より細くなると生地部材１１の強度が低下して糸埃が発生し易くなる傾向がある。
【００４６】
尚、生地部材１１を形成する繊維素材は、ポリウレタンに限らず、各種天然繊維（例えば、綿、麻、絹、毛など）、各種化学繊維（例えば、レーヨン、ポリノジック、テンセル、キュプラ、アセテート、ナイロン、ポリエステル、アクリル、ビニロン、ポリプロピレンなど）、各種無機繊維（ガラス繊維、炭素繊維、アルミナ繊維、ボロン繊維など）、各種金属繊維（金繊維、銀繊維、スチール繊維など）を用いてもよい。
【００４７】
また、生地部材１１を形成する糸は、繊維長が長い長繊維の紡績糸に限らず、長繊維を集束したフィラメント糸を用いてもよく、フィラメント糸は糸埃が発生し難いため特に好適である。
また、生地部材１１の編み方は、平編に限らず、伸縮性および通気性を有する編み方であればどのような編み方（各種よこ編（ゴム編、パール編など）、各種たて編（デンピー編、アトラス編、コード編など））でもよい。
【００４８】
［１−２］手の平側全体を覆う生地部材１２は、糸埃が発生し難く、通気性を有し、生地表面が滑らかで塗装表面に傷を付けず、塗装ブツの検出精度が高い生地によって形成されている。
そのため、生地部材１２から糸埃が発生して塗装ブツとなるのを防止できる。また、生地部材１２が通気性を有するため、手の皮膚呼吸が阻害されず、特に手の平にかく汗を発散させることが可能になり、長時間作業しても手の平の触感が良好に保たれることから、塗装ブツの高い検出精度を長時間にわたって維持することができる。
【００４９】
ちなみに、生地部材１２には、ナイロン単一繊維の平織りによる薄手の布地を用いればよい。
ナイロン単一繊維は切れ難いことに加え、ナイロン単一繊維が切れたとしても長いままで糸埃にならないため、塗装ブツの発生を防止できる。
【００５０】
また、ナイロン単一繊維を用いることにより、生地部材１２の表面が滑らかになって塗装表面との摩擦を軽減することが可能になるため、塗装表面に傷を付けないことに加えて、生地部材１２で塗装表面を撫でた際の手の平の触感が鋭敏になることから塗装ブツを確実に検出できる。
そして、ナイロン単一繊維を平織りにすることにより、生地部材１２の表面を平坦化することが可能になり、生地部材１２で塗装表面を撫でた際に生地部材１２と塗装表面との密着性が増すため、生地部材１２越しでも手の平の触感が阻害されず塗装ブツを確実に検出できる。
【００５１】
さらに、生地部材１２で塗装表面を撫でた際に、ナイロン単一繊維の平織りの縦横糸の格子部分に塗装ブツが引っかかり、その引っかかりによる抵抗感を手の平の触感によって確実に感じとることが可能であるため、塗装ブツの検出精度を高めることができる。
その結果、作業用手袋１０によれば、直径５０μｍ程度の微小な塗装ブツについても確実に検出することができる。
【００５２】
ここで、生地部材１２を形成するナイロン単一繊維の直径の範囲は約１０〜２００μｍが適当であり、望ましくは約２０〜１００μｍ、特に望ましくは約２０〜７０μｍである。
ナイロン単一繊維の直径が、この範囲より太くなると生地部材１２の柔軟性が低下して作業性が悪化する傾向があり、この範囲より細くなると生地部材１２の強度が低下して耐久性が落ちることに加えて塗装ブツの検出精度が低下する傾向がある。
【００５３】
そして、生地部材１２の平織りのメッシュ（格子間隔）の範囲は、平織りの縦横糸の格子部分に塗装ブツを引っかけ易くするため、検出対象の塗装ブツの直径より若干大きくすればよい。
例えば、直径５０μｍの塗装ブツを検出する場合、生地部材１２の平織りのメッシュ（格子間隔）の範囲は１４０〜２７０（格子間隔：１０５〜５３μｍ）が適当であり、望ましくは１７０〜２３０（格子間隔：８８〜６２μｍ）、特に望ましくは２００（格子間隔：７４μｍ）である。
ところで、塗装ブツの直径が小さくなるほど、生地部材１２の平織りのメッシュ（格子間隔）を小さくする必要がある。
【００５４】
尚、生地部材１２を形成する繊維素材は、ナイロンに限らず、各種天然繊維（例えば、綿、麻、絹、毛など）、各種化学繊維（例えば、レーヨン、ポリノジック、テンセル、キュプラ、アセテート、ポリエステル、アクリル、ビニロン、ポリプロピレン、ポリウレタンなど）、各種無機繊維（ガラス繊維、炭素繊維、アルミナ繊維、ボロン繊維など）、各種金属繊維（金繊維、銀繊維、スチール繊維など）を用いてもよい。
【００５５】
また、生地部材１２を形成する糸は、単一繊維に限らず、フィラメント糸や長繊維の紡績糸を用いてもよい。
また、生地部材１２の織り方は、平織に限らず、通気性を有すると共に塗装ブツの検出精度が高い織り方であればどのような織り方（綾織、朱子織など）でもよい。
【００５６】
［１−３］各生地部材１１，１２の周縁部は縫糸１３によって縫い込まれ、各生地部材１１，１２の縫い代は縫糸１３による縫目の奥に隠れて手袋の内側に向くようになっている。
そのため、各生地部材１１，１２の裁断部分から糸屑や糸埃などの塵埃が発生したとしても、その糸屑や糸埃は作業用手袋１０の内側（内部）に止まり、その糸屑や糸埃が作業用手袋１０の外部へ出ることはなく、その糸屑や糸埃によって塗装ブツが生じるのを防止できる。
【００５７】
［１−４］各生地部材１１，１２の手首に当たる部分は手袋の内側に向けて巻き返されて筒状をなし、その筒状の部分１４は縫糸１５によって縫い込まれ、その筒状の部分１４の縫い代は縫糸１５による縫目の奥に隠れて手袋の内側に向くようになっている。
そのため、筒状の部分１４の裁断部分から糸屑や糸埃などの塵埃が発生したとしても、その糸屑や糸埃は作業用手袋１０の内側（内部）に止まり、その糸屑や糸埃が作業用手袋１０の外部へ出ることはなく、その糸屑や糸埃によって塗装ブツが生じるのを防止できる。
【００５８】
［１−５］各生地部材１１，１２の手首に当たる部分は手袋の内側に向けて巻き返されて筒状をなし、その筒状の部分１４内には輪状のゴム紐１６が挿通されている。
そのため、ゴム紐１６によって作業用手袋１０の手首部分を引き絞ることにより、作業用手袋１０の手首部分と使用者（作業者）の手首とを密着させることが可能になり、作業用手袋１０の内側（内部）に糸屑や糸埃が溜まっていたとしても、その糸屑や糸埃が作業用手袋１０の外部へ出るのを確実に防止できる。
また、ゴム紐１６によって作業用手袋１０の手首部分を引き絞ることにより、使用中に作業用手袋１０が使用者（作業者）の手から脱落するのを防止可能になり、作業性を高めることができる。
【００５９】
［１−６］縫糸１３，１５には、強度が高い繊維素材（例えば、ナイロン、ケブラーなど）の単一繊維やフィラメント糸を用いればよい。
単一繊維やフィラメント糸は、繊維が切れ難いことに加え、繊維が切れたとしても長いままで糸埃や糸屑にならないため、縫糸１３，１５から糸埃や糸屑が発生するのを防止できる。
【００６０】
［１−７］作業用手袋１０は各生地部材１１，１２とゴム紐１６および各縫糸１３，１５だけの少ない構成部材で構成されており、簡単に製造可能であるため、安価に提供することができる。
【００６１】
［第２実施形態］
次に、本発明を具体化した第２実施形態の作業用手袋２０について図面を参照しながら説明する。
【００６２】
図２（Ａ）は、第２実施形態における左手用の作業用手袋２０を手の甲側から見た状態を示す正面図である。図２（Ｂ）は、作業用手袋２０を手の平側から見た状態を示す背面図である。
【００６３】
作業用手袋２０において、第１実施形態の作業用手袋１０と異なるのは、手の平側全体を覆う生地部材１２における指の第３関節に当たる部分に切れ込み１２ａが入れられ、その切れ込み１２ａの両端部の生地部材１２は手袋の内側に向けて巻き返され、その巻き返された部分が縫糸２１によって縫い込まれている点だけである。
【００６４】
（第２実施形態の作用・効果）
第２実施形態の作業用手袋２０によれば、第１実施形態の作用・効果に加えて、以下の作用・効果を得ることができる。
【００６５】
［２−１］生地部材１２に伸縮性がない場合、手指を曲げると、生地部材１２における５本の指の第３関節に当たる部分が弛んで皺が寄ることがある。生地部材１２に皺が寄ると、その皺部分では塗装表面と手の平とが生地部材１２を介して密着せず触感が鈍くなるため、塗装ブツの検出感度が低下してしまう。
そこで、生地部材１２における５本の指の第３関節に当たる部分に切れ込み１２ａを入れることにより、手指を曲げても第３関節に当たる部分の弛みを切れ込み１２ａに吸収させて皺が寄らないようにすることで、塗装ブツの検出感度の低下を防止できる。
【００６６】
［２−２］切れ込み１２ａの両端部の生地部材１２は手袋の内側に向けて巻き返され、その巻き返された部分が縫糸２１によって縫い込まれ、その巻き返された部分の縫い代は縫糸２１による縫目の奥に隠れて手袋の内側に向くようになっている。
そのため、作業用手袋２０の使用中に生地部材１２側で塗装表面を撫でているときに、切り込み１２ａの裁断端部が塗装表面に接触して糸切れを起こすことはなく、その糸切れによる糸屑や糸埃の発生を防止できる。
【００６７】
［２−３］縫糸２１には、強度が高い繊維素材（例えば、ナイロン、ケブラーなど）の単一繊維やフィラメント糸を用いればよい。
単一繊維やフィラメント糸は、繊維が切れ難いことに加え、繊維が切れたとしても長いままで糸埃や糸屑にならないため、縫糸２１から糸埃や糸屑が発生するのを防止できる。
【００６８】
［第３実施形態］
次に、本発明を具体化した第３実施形態の作業用手袋３０について図面を参照しながら説明する。
【００６９】
（第３実施形態の構成）
図３（Ａ）は、第３実施形態における左手用の作業用手袋３０を手の甲側から見た状態を示す正面図である。図３（Ｂ）は、作業用手袋３０を手の平側から見た状態を示す背面図である。
【００７０】
作業用手袋３０は、手の甲側の親指に当たる部分を覆う生地部材３１と、手の甲側の親指を除く部分を覆う生地部材３２と、手の平側の人差指と中指と薬指と小指とに当たる部分を覆う生地部材３３と、手の平側の親指に当たる部分を覆う生地部材３４と、手の平側の５本の指を除く部分を覆う生地部材３５とから構成され、各生地部材３１〜３５の周縁部は縫糸１３によって縫い込まれている。
また、各生地部材３２，３５の手首に当たる部分は手袋の内側に向けて巻き返され、その巻き返された部分１４は縫糸１５によって縫い込まれて筒状をなし、その筒状の部分１４内には輪状のゴム紐１６が挿通されている。
【００７１】
（作業用手袋の製造方法）
作業用手袋３０を製造するには、まず、各生地部材３１〜３５を裏返しにした状態で組み合わせ、次に、各生地部材３１〜３５の周縁部を縫糸１３によって縫い付け、続いて、各生地部材３２，３５の手首に当たる部分を手袋の内側に向けて巻き返し、次に、その巻き返して筒状になった部分１４内にゴム紐１６を挿通し、続いて、筒状の部分１４の端部を縫糸１５によって縫い付け、最後に、各生地部材３１〜３５を裏返す。
その結果、各生地部材３１〜３５の縫い代が縫糸１３による縫目の奥に隠れて手袋の内側に向くと共に、筒状の部分１４の縫い代が縫糸１５による縫目の奥に隠れて手袋の内側に向くことになる。
尚、ゴム紐１６を筒状の部分１４に挿通するのは、筒状の部分１４の端部を縫糸１５によって縫い付けた後でもよい。
【００７２】
（作業用手袋の使用方法）
作業者は、右手で研磨器具（例えば、塗装ブツ取り用パッドに研磨紙を貼付したもの等）を持ち、左手に作業用手袋３０をはめる。
そして、作業者は、被塗装物（例えば、車のボディなど）の乾いた塗装表面を左手の５本の指の腹側（作業用手袋３０の各生地部材３３，３４側）で撫で、その各生地部材３３，３４越しの指の腹の触感によって塗装ブツを検出する。
【００７３】
塗装ブツを検出したら、作業者は、右手に持った研磨器具で当該塗装ブツを研磨して削ぎ落とす作業と、作業用手袋３０をはめた左手の５本の指の腹側で塗装表面を撫でて塗装ブツを検出する作業とを、塗装ブツが完全に除去されて塗装表面が平滑になるまで繰り返し行う。
【００７４】
（第３実施形態の作用・効果）
第３実施形態の作業用手袋３０によれば、第１実施形態の前記［１−４］〜［１−６］の作用・効果に加えて、以下の作用・効果を得ることができる。
【００７５】
［３−１］手の甲側の親指に当たる部分を覆う生地部材３１と、手の甲側の親指を除く部分を覆う生地部材３２とは、第１実施形態の生地部材１１と同じ素材であり、糸埃が発生し難く、伸縮性および通気性を有する生地によって形成されている。
そのため、各生地部材３１，３２によれば、第１実施形態の前記［１−１］と同様の作用・効果を得ることができる。
【００７６】
［３−２］手の平側の人差指と中指と薬指と小指とに当たる部分を覆う生地部材３３と、手の平側の親指に当たる部分を覆う生地部材３４とは、第１実施形態の生地部材１２と同じ素材であり、糸埃が発生し難く、通気性を有し、生地表面が滑らかで塗装表面に傷を付けず、塗装ブツの検出精度が高い生地によって形成されている。
そのため、各生地部材３３，３４によれば、第１実施形態の前記［１−２］と同様の作用・効果を得ることができる。
【００７７】
ここで、人間の手の平の触感は、５本の指の腹部分が特に鋭敏であり、手の平側の５本の指を除く部分はさほど鋭敏ではない。そのため、第３実施形態のように、塗装表面を撫でる作業を５本の指の腹側だけで行い、手の平側の５本の指を除く部分は塗装表面を撫でなくても、塗装ブツの検出精度が低下するおそれはなく、第１実施形態と同等の検出精度が得られる。
【００７８】
［３−３］各生地部材３１〜３５の周縁部は縫糸１３によって縫い込まれ、各生地部材３１〜３５の縫い代は縫糸１３による縫目の奥に隠れて手袋の内側に向くようになっている。
そのため、各生地部材３１〜３５の裁断部分から糸屑や糸埃が発生したとしても、その糸屑や糸埃は作業用手袋３０の内側に止まり、その糸屑や糸埃が作業用手袋３０の外部へ出ることはなく、その糸屑や糸埃によって塗装ブツが生じるのを防止できる。
【００７９】
［３−４］手の平側の５本の指を除く部分を覆う生地部材３５は、各生地部材３１，３２と同じ素材であり、糸埃が発生し難く、伸縮性および通気性を有する生地によって形成されている。
そのため、生地部材３５から糸埃が発生して塗装ブツとなるのを防止できる。
また、生地部材３５が通気性を有するため、手の皮膚呼吸が阻害されず、特に手の平にかく汗を発散させることが可能になり、長時間作業しても手の平の触感が良好に保たれることから、塗装ブツの高い検出精度を長時間にわたって維持することができる。
【００８０】
［３−５］生地部材３３，３４に伸縮性がない場合、手指を曲げると、生地部材３３，３４における指の第３関節に当たる部分が弛んで皺が寄ることがある。生地部材３３，３４に皺が寄ると、その皺部分では塗装表面と手の平とが生地部材３３，３４を介して密着せず触感が鈍くなるため、塗装ブツの検出感度が低下してしまう。
そこで、生地部材３５に伸縮性をもたせることにより、手指を曲げたときに、生地部材３３，３４における指の第３関節に当たる部分の弛みを生地部材３５の伸縮によって吸収させて皺か寄らないようにすることで、塗装ブツの検出感度の低下を防止できる。
【００８１】
また、作業用手袋３０によれば、生地部材３５が伸縮性を有するため、第１実施形態の作業用手袋１０よりも更に自在に手指を屈伸させることが可能になり、作業用手袋３０をはめた手で物を掴む動作が阻害されないことから、作業性を高めることができる。
【００８２】
［３−６］親指に当たる部分を覆う各生地部材３１，３４と、その他の部分を覆う各生地部材３２，３３，３５とが別体になっており、各生地部材３１〜３５が縫糸１３によって縫い上げられている。
そのため、各生地部材３１〜３５を裁断する際に、立体裁断によって人間の手の形状に合わせることにより、作業用手袋３０の全体形状を人間の手の形状に合致させることが可能になることから、装着感を向上させて作業性を高めることができる。
【００８３】
［別の実施形態］
ところで、本発明は上記各実施形態に限定されるものではなく、以下のように具体化してもよく、その場合でも、上記各実施形態と同等もしくはそれ以上の作用・効果を得ることができる。
【００８４】
［１］第３実施形態において、手の平側の５本の指を除く部分を覆う生地部材３５に吸塵性を有する生地を用いる。
このようにすれば、塗装表面の研磨によって削り取られた塗料粉を生地部材３５で拭い取ることにより、塗装表面を清浄に保つことが可能になる。そして、塗装表面の研磨によって削り取られた塗料粉を拭い取るための清拭用具（ウェスなど）を用意しておかなくてもよいことに加え、その清拭用具を右手または左手で取り上げたり取り置いたりする作業が必要ないため、作業性を高めることができる。
【００８５】
［２］第３実施形態において、第１実施形態の生地部材１１と同様に、手の甲側の親指に当たる部分を覆う生地部材３１と、手の甲側の親指を除く部分を覆う生地部材３２とを一体化する。
この場合、第３実施形態の前記［３−６］の作用・効果は得られなくなるものの、その他の作用・効果については同様に得られる。
【００８６】
［３］上記各実施形態において、作業用手袋１０，２０，３０の手首の筒状の部分１４およびゴム紐１６を省いてもよい。
この場合、各生地部材１１，３２，３５は伸縮性を有するため、ゴム紐１６を省いても、作業用手袋１０，２０，３０の手首部分をある程度までは引き絞ることができる。
また、ゴム紐１６は、伸縮性のある部材であればどのような部材に置き換えてもよい。
【００８７】
［４］上記各実施形態において、塗料の色に合わせて手の平側を覆う生地部材１２，３３，３５の色を設定する。
例えば、塗料が黒色の場合は生地部材１２，３３，３５を白色にし、塗料が白色の場合は生地部材１２，３３，３５を黒色にするといった具合に、塗料の色と生地部材１２の色とが補色関係になるようにする。
このようにすれば、塗装表面の研磨によって削り取られた塗料粉が生地部材１２，３３，３５に付着した場合に、その塗料粉の付着具合を作業者が視認することで研磨の程度を判定することが可能になるため、研磨の作業性を高めることができる。
【００８８】
［５］上記各実施形態では、作業用手袋１０，２０，３０の手首に当たる部分をゴム紐１６によって引き絞るようにしている。
しかし、作業用手袋１０，２０，３０の手首に当たる部分に面ファスナーを取り付け、その面ファスナーによって手首に当たる部分を引き絞るようにしてもよい。このようにすれば、使用者の手首の太さに合わせて作業用手袋１０，２０，３０の手首に当たる部分を引き絞ることが可能になり、装着感を向上させることができる。
【００８９】
［６］上記各実施形態において、各縫糸１３，２１による縫製に加え、各生地部材１１，１２，３１〜３５の裁断部分にロック縫いを施してもよい。
このようにすれば、各生地部材１１，１２，３１〜３５の裁断部分から糸屑が発生するのを更に確実に防止できる。
【００９０】
［７］上記各実施形態において、各生地部材１１，３１，３２，３５に、布地ではなく、伸縮性を有するゴム膜または合成樹脂膜に多数の小穴を開口した生地を用いてもよい。
【００９１】
［８］上記各実施形態において、各生地部材１１，１２，３１〜３５を縫糸１３，１５，２１によって縫い付けるのではなく、接着剤によって接着してもよい。
【００９２】
［９］上記各実施形態の作業用手袋１０，２０，３０は左手用であるが、右手用に適用してもよい。
【図面の簡単な説明】
【図１】図１（Ａ）は、本発明を具体化した第１実施形態における左手用の作業用手袋１０を手の甲側から見た状態を示す正面図である。図１（Ｂ）は、作業用手袋１０を手の平側から見た状態を示す背面図である。
【図２】図２（Ａ）は、本発明を具体化した第２実施形態における左手用の作業用手袋２０を手の甲側から見た状態を示す正面図である。図２（Ｂ）は、作業用手袋２０を手の平側から見た状態を示す背面図である。
【図３】図３（Ａ）は、本発明を具体化した第３実施形態における左手用の作業用手袋３０を手の甲側から見た状態を示す正面図である。図３（Ｂ）は、作業用手袋３０を手の平側から見た状態を示す背面図である。
【符号の説明】
１０，２０，３０…作業用手袋
１１，１２，３１〜３５…生地部材
１３，１５，２１…縫糸
１２ａ…切り込み
１４…筒状の部分
１６…ゴム紐
【図１】
2005009045.tif 000003
【図２】
2005009045.tif 000004
【図３】
2005009045.tif 000005